【手続補正書】
【提出日】平成22年8月2日(2010.8.2)
【手続補正１】
【補正対象書類名】特許請求の範囲
【補正対象項目名】全文
【補正方法】変更
【補正の内容】
【特許請求の範囲】
【請求項１】
原稿を供給側から排出側へ向けて搬送中に原稿の画像を読み取る読取モードを有する画像読取装置であって、
彩度を持つ画素が原稿搬送方向と直角方向である主走査方向に連続して現われる数に注目してカラー原稿か白黒原稿かを判定する主走査方向のカラー/白黒判定手段と、
彩度を持つ画素が原稿搬送方向と平行方向である副走査方向に連続して現われる数に注目してカラー原稿か白黒原稿かを判定する副走査方向のカラー/白黒判定手段とを有し
前記搬送中に原稿の画像を読み取る読取モードにおいては、前記主走査方向のカラー/白黒判定手段ではなく、前記副走査方向のカラー/白黒判定手段で原稿がカラー原稿か白黒原稿かを判定することを特徴とする画像読取装置。
【請求項２】
前記副走査方向のカラー/白黒判定手段は、
彩度を持つ画素を主走査方向に第１閾値以上の数だけ連続して持つ画素群を、主走査方向に第２閾値以上の数だけ有する読取ラインを、彩度を有する読取ラインとして検出する第１読取ライン検出手段と、
前記第１読取ライン検出手段で検出された第２閾値以上の画素群を有する前記彩度を有する読取ラインを、副走査方向に第３閾値以上の数だけ連続して有する原稿をカラー原稿と判定し、前記第２閾値以上の画素群を有する前記彩度を有する読取ラインを、副走査方向に前記第３閾値未満の数しか連続して有しない原稿を白黒原稿と判定する第１カラー/白黒判定手段とを有することを特徴とする請求項１に記載の画像読取装置。
【請求項３】
前記第１閾値は５、前記第２閾値は２、前記第３閾値は６０であることを特徴とする請求項２に記載の画像読取装置。
【請求項４】
前記画像読取装置は、原稿が載置されるプラテンに静止している原稿の画像を読み取る読取モードを更に有し、
前記原稿が載置されるプラテンに静止している原稿の画像を読み取る読取モードにおいては、前記副走査方向のカラー/白黒判定手段又は主走査方向のカラー/白黒判定手段で原稿がカラー原稿か白黒原稿かを判定し、
前記主走査方向のカラー/白黒判定手段は、
彩度を持つ画素を主走査方向に第４閾値以上の数だけ連続して持つ画素群を、主走査方向に第５閾値以上の数だけ有する読取ラインを、彩度を有する読取ラインとして検出する第２読取ライン検出手段と、
前記第２読取ライン検出手段で検出された第５閾値以上の画素群を有する前記彩度を有する読取ラインを、副走査方向に第６閾値以上の数だけ有する原稿をカラー原稿と判定し、前記第５閾値以上の画素群を有する前記彩度を有する読取ラインを、副走査方向に第６閾値未満の数しか有しない原稿を白黒原稿と判定する第２カラー/白黒判定手段とを有することを特徴とする請求項１または２に記載の画像読取装置。
【請求項５】
前記第４閾値は５０、前記第５閾値は２、前記第６閾値は３０であることを特徴とする請求項４に記載の画像読取装置。
【請求項６】
前記彩度を持つ画素は、Ｒ，Ｇ，Ｂの３成分の画素値の内の最小値を他の成分の値からそれぞれ減じ、得られたそれぞれの値の差の絶対値が第７閾値よりも大きい画素であることを特徴とする請求項１乃至５のいずれか１項に記載の画像読取装置。
【請求項７】
請求項１乃至６のいずれか１項に記載の画像読取装置を有し、原稿がカラー原稿か白黒原稿かの判定結果に従って画像形成を制御することを特徴とする画像形成装置。
【請求項８】
請求項１乃至６のいずれか１項に記載の画像読取装置を有し、原稿がカラー原稿か白黒原稿かの判定結果に従って画像送信を制御することを特徴とする画像送信装置。
【請求項９】
原稿を供給側から排出側へ向けて搬送中に原稿の画像を読み取る読取モードを有する画像読取装置における原稿のカラー/白黒判定方法であって、
主走査方向のカラー/白黒判定手段が、彩度を持つ画素が原稿搬送方向と直角方向である主走査方向に連続して現われる数に注目してカラー原稿か白黒原稿かを判定する主走査方向のカラー/白黒判定工程と、
副走査方向のカラー/白黒判定手段が、彩度を持つ画素が原稿搬送方向と平行方向である副走査方向に連続して現われる数に注目してカラー原稿か白黒原稿かを判定する副走査方向のカラー/白黒判定工程とを有し
前記搬送中に原稿の画像を読み取る読取モードにおいては、前記主走査方向のカラー/白黒判定工程ではなく、前記副走査方向のカラー/白黒判定工程で原稿がカラー原稿か白黒原稿かを判定することを特徴とする画像読取装置における原稿のカラー/白黒判定方法。
【請求項１０】
プラテンに静止している原稿の画像を読み取る読取モードを更に有し、
前記搬送中に原稿の画像を読み取る読取モードにおいては、副走査方向のカラー/白黒判定工程で原稿がカラー原稿か白黒原稿かを判定し、前記原稿が載置されるプラテンに静止している原稿の画像を読み取る読取モードにおいては、前記副走査方向のカラー/白黒判定工程又は主走査方向のカラー/白黒判定工程で原稿がカラー原稿か白黒原稿かを判定し、
前記副走査方向のカラー/白黒判定工程は、
第１読取ライン検出手段が、彩度を持つ画素を主走査方向に第１閾値以上の数だけ連続して持つ画素群を、主走査方向に第２閾値以上の数だけ有する読取ラインを、彩度を有する読取ラインとして検出する第１読取ライン検出工程と、
第１カラー/白黒判定手段が、前記第１読取ライン検出工程で検出された第２閾値以上の画素群を有する前記彩度を有する読取ラインを、副走査方向に第３閾値以上の数だけ連続して有する原稿をカラー原稿と判定し、前記第２閾値以上の画素群を有する前記彩度を有する読取ラインを、副走査方向に前記第３閾値未満の数しか連続して有しない原稿を白黒原稿と判定する第１カラー/白黒判定工程とを有し、
前記主走査方向のカラー/白黒判定工程は、
第２読取ライン検出手段が、彩度を持つ画素を主走査方向に第４閾値以上の数だけ連続して持つ画素群を、主走査方向に第５閾値以上の数だけ有する読取ラインを彩度を有する読取ラインとして検出する第２読取ライン検出工程と、
第２カラー/白黒判定手段が、前記第２読取ライン検出工程で検出された第５閾値以上の画素群を有する前記彩度を有する読取ラインを、副走査方向に第６閾値以上の数だけ有する原稿をカラー原稿と判定し、前記第５閾値以上の画素群を有する前記彩度を有する読取ラインを、副走査方向に第６閾値未満の数しか有しない原稿を白黒原稿と判定する第２カラー/白黒判定工程とを有することを特徴とする請求項９に記載の画像読取装置における原稿のカラー/白黒判定方法。
【請求項１１】
請求項９または１０に記載の原稿のカラー/白黒判定方法の工程をコンピュータに実行させるためのコンピュータプログラム。
【請求項１２】
請求項１１に記載のコンピュータプログラムを記憶したコンピュータで読み取り可能な記憶媒体。
【手続補正２】
【補正対象書類名】明細書
【補正対象項目名】発明の名称
【補正方法】変更
【補正の内容】
【発明の名称】原稿のカラー/白黒判定方法及び画像読取装置、画像形成装置、画像送信装置
【手続補正３】
【補正対象書類名】明細書
【補正対象項目名】０００１
【補正方法】変更
【補正の内容】
【０００１】
本発明は、原稿のカラー/白黒判定方法及び画像読取装置、画像形成装置、画像送信装置に関する。即ち、読み取る原稿のカラー/白黒判定方法と、該機能を有する画像読取装置並びにこれを備えた画像形成装置、画像送信装置に関するものである。
【手続補正４】
【補正対象書類名】明細書
【補正対象項目名】００１５
【補正方法】変更
【補正の内容】
【００１５】
本発明は、オフィスカラー複合機で使用されていたＡＣＳ機能を、コストを低減して、装置を小型化として廉価機に搭載することを可能とする。それにより、多くのユーザに実用的なＡＣＳ機能を提供するための、原稿のカラー/白黒判定方法及び画像読取装置、画像形成装置、画像送信装置を提供する。
【手続補正５】
【補正対象書類名】明細書
【補正対象項目名】００１６
【補正方法】変更
【補正の内容】
【００１６】
かかる課題を解決するために、本発明の画像読取装置は、原稿を供給側から排出側へ向けて搬送中に原稿の画像を読み取る読取モードを有する画像読取装置であって、彩度を持つ画素が原稿搬送方向と直角方向である主走査方向に連続して現われる数に注目してカラー原稿か白黒原稿かを判定する主走査方向のカラー/白黒判定手段と、彩度を持つ画素が原稿搬送方向と平行方向である副走査方向に連続して現われる数に注目してカラー原稿か白黒原稿かを判定する副走査方向のカラー/白黒判定手段とを有し前記搬送中に原稿の画像を読み取る読取モードにおいては、前記主走査方向のカラー/白黒判定手段ではなく、前記副走査方向のカラー/白黒判定手段で原稿がカラー原稿か白黒原稿かを判定することを特徴とする。
【手続補正６】
【補正対象書類名】明細書
【補正対象項目名】００１７
【補正方法】変更
【補正の内容】
【００１７】
ここで、前記副走査方向のカラー/白黒判定手段は、彩度を持つ画素を主走査方向に第１閾値以上の数だけ連続して持つ画素群を、主走査方向に第２閾値以上の数だけ有する読取ラインを、彩度を有する読取ラインとして検出する第１読取ライン検出手段と、前記第１読取ライン検出手段で検出された第２閾値以上の画素群を有する前記彩度を有する読取ラインを、副走査方向に第３閾値以上の数だけ連続して有する原稿をカラー原稿と判定し、前記第２閾値以上の画素群を有する前記彩度を有する読取ラインを、副走査方向に前記第３閾値未満の数しか連続して有しない原稿を白黒原稿と判定する第１カラー/白黒判定手段とを有する。また、前記第１閾値は５、前記第２閾値は２、前記第３閾値は６０である。また、前記画像読取装置は、原稿が載置されるプラテンに静止している原稿の画像を読み取る読取モードを更に有し、前記原稿が載置されるプラテンに静止している原稿の画像を読み取る読取モードにおいては、前記副走査方向のカラー/白黒判定手段又は主走査方向のカラー/白黒判定手段で原稿がカラー原稿か白黒原稿かを判定し、前記主走査方向のカラー/白黒判定手段は、彩度を持つ画素を主走査方向に第４閾値以上の数だけ連続して持つ画素群を、主走査方向に第５閾値以上の数だけ有する読取ラインを、彩度を有する読取ラインとして検出する第２読取ライン検出手段と、前記第２読取ライン検出手段で検出された第５閾値以上の画素群を有する前記彩度を有する読取ラインを、副走査方向に第６閾値以上の数だけ有する原稿をカラー原稿と判定し、前記第５閾値以上の画素群を有する前記彩度を有する読取ラインを、副走査方向に第６閾値未満の数しか有しない原稿を白黒原稿と判定する第２カラー/白黒判定手段とを有する。また、前記第４閾値は５０、前記第５閾値は２、前記第６閾値は３０である。また、前記彩度を持つ画素は、Ｒ，Ｇ，Ｂの３成分の画素値の内の最小値を他の成分の値からそれぞれ減じ、得られたそれぞれの値の差の絶対値が第７閾値よりも大きい画素である。
【手続補正７】
【補正対象書類名】明細書
【補正対象項目名】００１９
【補正方法】変更
【補正の内容】
【００１９】
また、本発明のカラー/白黒判定方法は、原稿を供給側から排出側へ向けて搬送中に原稿の画像を読み取る読取モードを有する画像読取装置における原稿のカラー/白黒判定方法であって、主走査方向のカラー/白黒判定手段が、彩度を持つ画素が原稿搬送方向と直角方向である主走査方向に連続して現われる数に注目してカラー原稿か白黒原稿かを判定する主走査方向のカラー/白黒判定工程と、副走査方向のカラー/白黒判定手段が、彩度を持つ画素が原稿搬送方向と平行方向である副走査方向に連続して現われる数に注目してカラー原稿か白黒原稿かを判定する副走査方向のカラー/白黒判定工程とを有し前記搬送中に原稿の画像を読み取る読取モードにおいては、前記主走査方向のカラー/白黒判定工程ではなく、前記副走査方向のカラー/白黒判定工程で原稿がカラー原稿か白黒原稿かを判定することを特徴とする。ここで、プラテンに静止している原稿の画像を読み取る読取モードを更に有し、前記搬送中に原稿の画像を読み取る読取モードにおいては、副走査方向のカラー/白黒判定工程で原稿がカラー原稿か白黒原稿かを判定し、前記原稿が載置されるプラテンに静止している原稿の画像を読み取る読取モードにおいては、前記副走査方向のカラー/白黒判定工程又は主走査方向のカラー/白黒判定工程で原稿がカラー原稿か白黒原稿かを判定し、前記副走査方向のカラー/白黒判定工程は、第１読取ライン検出手段が、彩度を持つ画素を主走査方向に第１閾値以上の数だけ連続して持つ画素群を、主走査方向に第２閾値以上の数だけ有する読取ラインを、彩度を有する読取ラインとして検出する第１読取ライン検出工程と、第１カラー/白黒判定手段が、前記第１読取ライン検出工程で検出された第２閾値以上の画素群を有する前記彩度を有する読取ラインを、副走査方向に第３閾値以上の数だけ連続して有する原稿をカラー原稿と判定し、前記第２閾値以上の画素群を有する前記彩度を有する読取ラインを、副走査方向に前記第３閾値未満の数しか連続して有しない原稿を白黒原稿と判定する第１カラー/白黒判定工程とを有し、前記主走査方向のカラー/白黒判定工程は、第２読取ライン検出手段が、彩度を持つ画素を主走査方向に第４閾値以上の数だけ連続して持つ画素群を、主走査方向に第５閾値以上の数だけ有する読取ラインを彩度を有する読取ラインとして検出する第２読取ライン検出工程と、第２カラー/白黒判定手段が、前記第２読取ライン検出工程で検出された第５閾値以上の画素群を有する前記彩度を有する読取ラインを、副走査方向に第６閾値以上の数だけ有する原稿をカラー原稿と判定し、前記第５閾値以上の画素群を有する前記彩度を有する読取ラインを、副走査方向に第６閾値未満の数しか有しない原稿を白黒原稿と判定する第２カラー/白黒判定工程とを有することを特徴とする。
【手続補正８】
【補正対象書類名】明細書
【補正対象項目名】００２１
【補正方法】変更
【補正の内容】
【００２１】
本発明により、オフィスカラー複合機で使用されていたＡＣＳ機能を、コストを低減して、装置を小型化として廉価機に搭載することを可能とした。そのため、多くのユーザに実用的なＡＣＳ機能を提供するための、原稿のカラー/白黒判定方法及び画像読取装置、画像形成装置、画像送信装置を提供できる。